(57)【要約】      （修正有）【課題】刈払機用のチップソー等の刃物の研磨を、工程および作業時間を半減し、安易で正確かつ安全に行う研磨機を提供する。【解決手段】作業者はチップソー４の刃部を刃物研磨機の刃先位置決めストッパー８に合わせて受台５にセットする。チップソー４の天刃を天刃研磨用グラインダー１０の有する天刃研磨ディスク１１に押し当てて研磨するにあたり、研磨シロ調整ネジ１５でスライドベース２の前進量を調整して研磨量を設定する。チップソー４の腹刃の研磨量は、腹刃研磨ディスク１４を有する腹刃研磨グラインダー１３のブラケット１２を固定するブラケット固定ネジで設定する。グラインダー１０，１３のスイッチを入れ、チップソー４を両手に保持した状態でスライドベース２を前進させることにより天刃・腹刃を同時に予定量研磨する。研磨機は、手を緩めた際にディスク回転体からチップソー４を離す隔離スプリング１７や安全カバー１８により安全を確保する。【選択図】図１
2013248723.tif 000002
【特許請求の範囲】
【請求項１】
ベースの一側部に、複数の研磨工具を簡易に組み付け可能に設置しチップソー４等の被研磨材を受台に搭載したものを、複数同時加工あるいは単独の加工が出来るように発明された研磨装置であり、刃先の正確な割り出し送り機能の、構造を持ったことを特徴とする、チップソー等刃物研磨機
【請求項２】
刃先の割り出し送りの方法は両手に保持して手動で行い、１刃、２刃、・・・複数の割り出し送りが自在に行えることが出来る、［請求項１］に記載のチップソー等刃物研磨機
【請求項３】
刃物割り出し位置決めストッパー８を研磨ディスクの近くに極力配して、研磨位置の累積誤差を出来るだけ小さくするように構成された［請求項１又は２に］記載のチップソー等刃物の研磨機
【請求項４】
研磨ディスク１１，１４とチップソー４等の被研磨材は前進作動時以外、スプリング等により強制的に隔離されていて回転物との非接触状態にあり安全を確保する、［請求項１又は２］記載のチップソー等の刃物研磨機
【請求項５】
研磨作業中の研磨ディスク１１，１４による粉塵、火花、手指の裂傷を保護する為に安全カバーを搭載した［請求項１］に記載のチップソー等刃物の研磨機
【請求項６】
天刃研磨量の微調整を可能とした研磨量調節ねじを有する［請求項１］に記載のチップソー等の刃物研磨機
【発明の詳細な説明】
【技術分野】
【０００１】  本発明は除草等に使用する刈払機チップソー等刃物の研磨機に関する
【背景技術】
【０００２】  従来、刈払機の刃物として超硬刃チップソーは一般的に使用され、近年においては主流となって利用されている。雑草、笹等、刈払い作業をすれば刃先の角は磨耗して円くなり切れ味が悪くなる。切削道具の使える人はディスクグラインダーを片手に持って刃を研ぐことが出来るが、大半の一般人は道具を使えず、切れなくなれば新品を購入して使ったものは廃棄していた。最近になって刃を１刃ずつ送れる研磨装置が市販され利用する人も多くなってきた。【０００３】従来の１刃ずつ送りの方法はレバーを刃先に当て、１刃ずつ回転させ、一定送り量となるような機械的部品で構成されている。【０００４】従来の研磨装置は刃先を研磨する際、削り面の外周（天刃）及び前面（腹刃）を１サイクルずつ分けて２工程で作業を行っている。１サイクル終わるごとにディスクグラインダーの削り面を合わすシビアなセット作業がいるので面倒なことであった。刃数が多いと時間を要するので便利にも関わらず、満足できるものではなかった。
【先行技術文献】
【０００５】
【特許文献】
【特許文献】特開２００５−１６１４０８  特開平９−１５５７０１
【０００６】実用新案登録番号第３００１７８６号
【発明の概要】
【発明が解決しようとする課題】
【０００７】従来の研磨装置は、天刃及び腹刃を１サイクルごと２工程に分けて行っていた。刃数が多いので時間がかかり、面倒な作業であった。又、作業動作は１ピッチ送るレバー操作、ディスクグラインダーを接触させる動作、さらには天刃と腹刃と交換する動作等が手順悪く相交じり、スムーズな作業の流れがなく、無駄な動きがあった。全体として面倒な作業に感じるのが一般的な感想である。【０００８】今発明により天刃、腹刃を同時に研磨することで２分の１の時間短縮を図る。さらに１ピッチ送りも両手で保持し、ほんの少し滑らすだけで正確な位置決めが保障され、全動作がシンプルになり１サイクル周れば全て完了であり、早く作業が終わる。
【問題を解決するための手段】
【０００９】  ［０１］
本発明の研磨機は、天刃研磨ディスク１１を装備した天刃研磨用グラインダー１０腹刃研磨ディスク１４を装備した腹刃研磨グラインダー１３、２台をベース１の所定の位置に設置する。
［０２］
チップソー受台５にチップソー４を乗せて、型式、機種、大きさ、刃数に応じて刃先位置決めストッパー８に合わせる。合わせ方はチップソー中心軸６のボルトを緩め、チップソー可変用溝７により刃先共通の任位の位置を決めて基準とし、中心軸６のボルトを締めつけて位置決め完了となる。
［０３］
チップソー４を乗せた受台５は一体であり、位置決め後スライド金具３を介して前進させる。天刃ディスク１１にチップソー４の天刃を押し当て、刃の面に沿うように天刃研磨用グラインダー１０を取り付けているブラケット９をブラケット固定ネジ１９で固定する。研磨シロを研磨シロ調整ネジ１５で調整し、ロックナット１６で固定すれば天刃の位置決めは完了となる。
［０４］
腹刃研磨ディスク１４にチップソー４の腹刃を押し当て、刃の面に沿わし、研磨シロをみて腹刃研磨グラインダー１３を取り付けているブラケット１２をブラケット固定ネジ１９で固定して、位置決めを完了とする。
［０５］
両グラインダー１０，１３のスイッチを入れて研磨ディスク１１，１４を回転させる。チップソー４を両手に保持しスライドベース２を前進させて、予定の研磨量を天刃・腹刃同時に押し当て研磨する。
［０６］
前進する前には安全カバー１８で研磨ディスク１１、１４を覆い刃先チップの破損、防塵、火花、手指の裂傷等の危険から身体を保護する。
［０７］
両手による作業の為、安定した姿勢とチップソーの保持が確保される。又研磨中何かトラブルが発生しても手を離せば引き込みスプリング１７で研磨ディスク１１、１４の回転体からチップソー４は引き離され安全である。
［０８］
チップソー４の刃を１ピッチずつ送る方法は、反時計回りに刃先位置決めストッパー８を乗り越えて時計方向に少し戻し、刃に当てれば決まった位置が得られる。チップソーによって分割角度が大きくずれているものがあるが。本発明は位置決め位置に極力近い場所で研磨をしているので累積誤差が少なく，均等に研磨が出来る。
【発明の効果】
【００１０】本発明は以上のように構成され、次のような効果を奏する。［請求項１］記載の研磨機によれば従来使用されている機器に比べ作業時間が約半分に短縮することができる。
【００１１】請求項２］記載の研磨機によれば刃先ピッチ割り出しの機械部品を必要とせず、基準になる刃先位置決めストッパー８に隣の１刃を少しずらすだけで正確な割り出し送りが可能である。部品が少なくシンプルな構造となり、故障の心配が無い。
【００１２】［請求項３］記載の研磨機によれば刃先位置決めストッパー８を天刃、腹刃に極力近い場所で研磨をすることが出来、従来のレバー式に比べ累積誤差が少ない。
【００１３】［請求項４又は５］に記載の安全カバー１８の取り付け、引き込みスプリング１７の構造により粉塵、火花、回転物の接触による手指の裂傷を防ぐことができ安全性が保障される。
【００１４】［請求項６］に記載の研磨量調節ネジによりシビアな精度の加工が保障される。
【００１５】又本発明は、以上述べた実施例だけに限定されるものではない。
【図面の簡単な説明】
【００１６】
【図１】天刃・腹刃、同時研磨の状態を示す斜視図
【図２】刃先の研磨状態と隔離を示す平面図
【図３】刃先分割送りのストッパー図
【発明を実施するための形態】
【実施例】
【００１７】以下、本発明を具体化した第１実施形態を図面に基づいて説明する。ベース１上に前後のスライド金具３を介しスライドベース２を取り付ける。さらにその上にチップソー受台５を組み込み、その前方左右にブラケット９，１２に組み込んだ天刃研磨用グラインダー１０と腹刃研磨用グラインダー１３を設置する。それぞれこのブラケットはノブ付ボルト当或いはレバー等、手で簡単に着脱できる構造とし、微妙な位置と角度を速やかに固定できる構造となっている。この両グラインダー１０，１３はＵボルト等で組み込み、取り付け角度が自由になる。次にチップソー４刃先の任位の位置に受台５の刃先位置決めストッパー８に当て、そこを割り出し送りの基準とする。その際、チップソー４の機種、径の大きさ、刃数等により形状が様々であるので、チップソー中心軸６のボルトを緩めてチップソー可変溝７をスライドさせれば任位の基準が設定できる。位置が決まれば両手で保持し、天刃研磨ディスク１１に押し付け、刃先の角度に合わせ、ブラケット９を固定する。後，研磨量調節ネジで研磨シロを決めて天刃のセットを終了する。次に腹刃研磨ディスクに刃の腹を沿わし、研磨シロを見込んでブラケット１２を固定する。腹刃はこれで刃物のセットを完了する。チップソー受台５の通常の位置は隔離スプリングによって回転ディスク１１，１４とは接触していない。両方研磨グラインダーのスイッチを入れディスク１１，１４を回転させ、安全カバー１８を下ろし、チップソー４を前進させる。研磨量調節ネジがストッパーに当たり自動的に前進が止まり研磨を終わる。天刃、腹刃同時に研磨が終わり、手を緩めれば隔離スプリングによりディスクの回転面から刃先面は離れる。両手で左に１刃送ってチョット右に戻し当たった位置が１ピッチ送りの基準である為、そのまま先程と同じく前進させて研磨をする。順次刃の数だけ繰り返し、１サイクルすれば作業完了である。チップソーの中心に対し全刃のチップ面を均一に正確に研磨することを保障できるものである。
【符号の説明】
【００１８】１・・・ベース                  １０・・・天刃研磨用グラインダー
２・・・スライドベース          １１・・・天刃研磨ディスク
３・・・スライド金具            １２・・・ブラケット
４・・・チップソー              １３・・・腹刃研磨グラインダー
５・・・チップソー受台          １４・・・腹刃研磨ディスク
６・・・チップソー中心軸        １５・・・研磨量調整ネジ
７・・・チップソー径可変溝      １６・・・ロックナット
８・・・刃先位置決めストッパー  １７・・・隔離スプリング
９・・・ブラケット              １８・・・安全カバー
１９・・・ブラケット固定ネジ
【図１】
2013248723.tif 000003
【図２】
2013248723.tif 000004
【図３】
2013248723.tif 000005